(57)【要約】【課題】本発明は、座板部の移動構造を有する椅子を提供する。【解決手段】本発明は、フレーム４００の上部に配置される座板本体１１０と、座板本体１１０とフレーム４００を連結して、所定角度に回動しながら座板本体１１０を前後進可能にさせる回動リンク部１２０と、及び回動リンク部１２０を弾性支持する弾性支持部と、を含み、座板本体１１０は加圧されると後進して、加圧が解除されると前進するように動作することを特徴とする。また、本発明によると使用者が椅子に座る時により安楽でやんわりと尻を案内することができるようになる。【選択図】図２
2011229896.tif 000002
【特許請求の範囲】
【請求項１】
フレームの上部に配置される座板本体と、
一側が前記フレームに装着されて他側が前記座板本体に装着されて、所定角度に回動しながら前記座板本体を前後進可能にさせる回動リンク部と、
前記回動リンク部を弾性支持する弾性支持部と、を含み、
前記座板本体は、加圧されると後進し、加圧が解除されると前進するように動作することを特徴とする座板部の移動構造を有する椅子。
【請求項２】
前記回動リンク部は、
前記フレームに回動可能に結合される回動軸と、
一側が前記回動軸に回動可能に結合されて、他側が前記座板本体に回動可能に結合される一対のリンク部材とを含むことを特徴とする請求項１に記載の座板部の移動構造を有する椅子。
【請求項３】
前記回動リンク部は一対に設けられて、前記座板本体を４点支持することを特徴とする請求項２に記載の座板部の移動構造を有する椅子。
【請求項４】
前記弾性支持部は、前記回動軸と前記リンク部材に結合されるコイルスプリングを含むことを特徴とする請求項２に記載の座板部の移動構造を有する椅子。
【請求項５】
フレームの上部に配置される座板本体と、
前記座板本体にスライディング可能に結合される座板カバーと、
前記座板カバーのスライディング位置を固定する位置固定部と、を含む座板部の移動構造を有する椅子。
【請求項６】
前記座板本体と前記座板カバーのスライディングを案内するスライディング部をさらに含むことを特徴とする請求項５に記載の座板部の移動構造を有する椅子。
【請求項７】
前記スライディング部は、
前記座板本体に形成された係止突起と、
前記係止突起が挿入されて移動するように前記座板カバーに長穴に形成される係止溝を含むことを特徴とする請求項６に記載の座板部の移動構造を有する椅子。
【請求項８】
前記スライディング部は、一端が前記座板本体に結合されて他端が前記座板カバーに結合されるスプリングをさらに含むことを特徴とする請求項６または７に記載の座板部の移動構造を有する椅子。
【請求項９】
前記位置固定部は、
一側が前記座板本体の側面に露出されて、他側が前記座板カバーに向けて前後進可能になるように前記座板本体に結合される取っ手板と、
前記取っ手板の他側に突設されて前記座板カバーの位置を固定する固定突起と、
前記座板カバーに穿設されて前記固定突起が選択的に挿入される複数の固定溝と、
前記取っ手板の他側下部に設置されるスプリングと、を含むことを特徴とする請求項８に記載の座板部の移動構造を有する椅子。
【請求項１０】
フレームの上部に配置される座板本体と、
前記座板本体と前記フレームを連結して、所定角度に回動しながら前記座板本体を前後進可能にさせる回動リンク部と、
前記回動リンク部を弾性支持する弾性支持部と、
前記座板本体にスライディング可能に結合される座板カバーと、
前記座板カバーのスライディング位置を固定する位置固定部と、を含む座板部の移動構造を有する椅子。
【発明の詳細な説明】
【技術分野】
【０００１】
本発明は、椅子に関するものである。より詳細には、使用者が座る時により安楽でやんわりと尻を案内することができ、また、座る位置が調節されるように座板部が動作することができる座板部の移動構造を有する椅子に関するものである。
【背景技術】
【０００２】
一般に、椅子は使用者の背中と尻がそれぞれ接触される背中支え部と座板部とを含んでいる。
【０００３】
前記背中支え部と座板部が合成樹脂、金属、木材で構成されて支えるようになっているものは、安楽感が落ちるので、主に簡易椅子として利用されているし、普段座って長期間業務を処理するようになる事務用椅子は、椅子の背中支え部及び座板部のクッション材を皮シートや織物シートで囲んだ形態になって安楽感を与えるようになっている。
【０００４】
図１は、従来の椅子の一形態に対する斜視図である。
【０００５】
図１を参照すると、一般的な事務用椅子１は、使用者の尻が安着される座板部１０と、該座板部１０と垂直をなしながら使用者の背中を支える背中支え部２０と、前記座板部１０の下部に結合された回転足部３０と、前記座板部１０に結合される腕掛け部４０とを具備する。
【０００６】
ここで、前記座板部１０、背中支え部２０及び腕掛け部４０は、皮シートや織物シートで囲んだクッション材が使われ、使用者にとって安楽感を与えるように構成されることができる。
【０００７】
そして、前記椅子１は、使用者が背中を前後に反らす場合、背中支え部２０が適正な角度で動くことができるようにするティルティング部材５０が前記座板部１０と背中支え部２０とを連結するように装着される。ここで、前記ティルティング部材５０は、一つの軸を中心に回動しながら背中支え部２０を前後方向に移動させることができる構造を有する。
【０００８】
ところで、従来の椅子１は、使用者が背中を反らせば背中支え部２０が前記ティルティング部材５０を通じて一つの軸を中心に回動されるようにする背中支え部２０に対する移動構造は有しているが、使用者の尻が安着される座板部１０に対する移動構造は考慮されていなかった。
【０００９】
たとえ、座板部１０を移動させることができる椅子があっても座板部１０は背中支え２０の動作とともに動くしかなかった。
【発明の概要】
【発明が解決しようとする課題】
【００１０】
したがって、本発明は、使用者が座る時により安楽でやんわりと尻を案内することができ、また、座る位置が調節されるように座板部が背中支え部と独立的に動作することができる座板部の移動構造を有する椅子を提供することにその目的がある。
【課題を解決するための手段】
【００１１】
本発明は、フレームの上部に配置される座板本体と、一側が前記フレームに装着されて他側が前記座板本体に装着されて、所定角度で回動しながら前記座板本体を前後進可能にさせる回動リンク部と、前記回動リンク部を弾性支持する弾性支持部と、を含み、前記座板本体は加圧されると後進して、加圧が解除されると前進するように動作することを特徴とする座板部の移動構造を有する椅子を提供する。
【００１２】
前記回動リンク部は、前記フレームに回動可能に結合される回動軸と、一側が前記回動軸に回動可能に結合されて、他側が前記座板本体に回動可能に結合される一対のリンク部材とを含むことができる。
【００１３】
前記回動リンク部は一対に設けられて、前記座板本体を４点支持することができる。
【００１４】
前記弾性支持部は、前記回動軸と前記リンク部材に結合されるコイルスプリングを含むことができる。
【００１５】
一方、本発明は、フレームの上部に配置される座板本体と、該座板本体にスライディング可能に結合される座板カバーと、前記座板カバーのスライディング位置を固定する位置固定部と、を含むことができる。
【００１６】
前記座板本体と前記座板カバーのスライディングを案内するスライディング部をさらに含むことができる。
【００１７】
前記スライディング部は、前記座板本体に形成された係止突起と、前記係止突起が挿入されて移動するように前記座板カバーに長穴に形成される係止溝を含むことができる。
【００１８】
前記スライディング部は、一端が前記座板本体に結合されて他端が前記座板カバーに結合されるスプリングをさらに含むことができる。
【００１９】
前記位置固定部は、一側が前記座板本体の側面に露出して、他側が前記座板カバーに向けて前後進可能になるように前記座板本体に結合される取っ手板と、該取っ手板の他側に突設されて、前記座板カバーの位置を固定する固定突起と、前記座板カバーに穿設されて、前記固定突起が選択的に挿入される複数の固定溝と、前記取っ手板の他側下部に設置されるスプリングと、を含むことができる。
【００２０】
一方、本発明は、フレームの上部に配置される座板本体と、前記座板本体と前記フレームを連結して、所定角度に回動しながら前記座板本体を前後進可能にさせる回動リンク部と、前記回動リンク部を弾性支持する弾性支持部と、前記座板本体にスライディング可能に結合される座板カバーと、前記座板カバーのスライディング位置を固定する位置固定部と、を含む座板部の移動構造を有する椅子を提供する。
【発明の効果】
【００２１】
本発明の座る位置が調節される座板部の移動構造を有する椅子によると次のような効果がある。
【００２２】
第一に、座板本体は、使用者が座るのに楽な位置に置かれた初めの位置で使用者の尻によって加圧されると、使用者が安楽に座った状態を維持することができる位置に移動して、尻が離れて加圧が解除されると、再び初めの位置に移動するように動作することができる。したがって、使用者が椅子に座る時により安楽でやんわりと尻を案内することができるようになる。
【００２３】
第二に、座板カバーが座板本体を基準で前方と後方にスライディング移動することができるために、使用者の背の高さなど体形状態や安着位置に合うように、座板本体に置かれる座板カバーの位置を調節することができる。
【図面の簡単な説明】
【００２４】
【図１】従来の椅子の一形態に対する斜視図である。
【図２】本発明の椅子で座板本体の移動を示す側面図である。
【図３】同じく、本発明の椅子で座板本体の移動を示す側面図である。
【図４】本発明の座板本体と座板カバーを分離した状態の部分分解斜視図である。
【図５】図４の凹部に対する拡大図である。
【図６】図５の背面図である。
【発明を実施するための形態】
【００２５】
以下、本発明の望ましい実施例を添付された図面らを参照して詳しく説明する。まず、各図面の構成要素らに参照符号を付け加えるにおいて、同一な構成要素らに対してはたとえ他の図面上に表示されても可能な限り同一な符号を有するようにしていることに留意しなければならない。また、本発明を説明するにおいて、関連された公知構成または機能に対する具体的な説明が本発明の要旨をあいまいにすることがあると判断される場合にはその詳細な説明は略する。
【００２６】
図２及び図３は、本発明の椅子で座板本体の移動を示す側面図らであり、図４は本発明の座板本体と座板カバーを分離した状態の部分分解斜視図であり、図５は図４の凹部に対する拡大図であり、図６は図５の背面図である。
【００２７】
図２及び図３に示されたところのように、本発明の椅子は大まかには、使用者の尻が安着される座板部１００と、前記使用者の背中を支持する背中支え部２００と、前記座板部１００の下部に装着される回転足部３００と、使用者の首を支えることができる首支え部３５０と、前記座板部１００、背中支え部２００、回転足部３００、首支え部３５０が設置されるフレーム４００とを含んでなされることができる。
【００２８】
前記フレーム４００は、前記座板部１００と前記背中支え部２００がお互いに垂直をなすように、中央領域が折曲された形態でなされることができる。
【００２９】
前記座板部１００は、前記フレーム４００の上部に配置されるように設置される座板本体１１０と、該座板本体１１０の上部を覆って使用者の尻が安着される座板カバー１３０と、前記座板本体１１０及び前記座板カバー１３０をそれぞれ水平方向に前後進移動させることができる移動手段と、を含む。
【００３０】
先ず、前記座板本体１１０が前記フレーム４００の上部で相対的に水平方向に移動できるようにする構造に対して説明する。
【００３１】
本発明は、一側が前記フレームに装着されて他側が前記座板本体に装着されて、所定角度に回動しながら前記座板本体１１０を前後進可能にさせる回動リンク部１２０と、前記回動リンク部１２０を弾性支持する弾性支持部(図示せず)を具備する。
【００３２】
したがって、前記座板本体１１０は、使用者が座るのに楽な位置に置かれた初めの位置(図２参照)で使用者の尻によって加圧されると、使用者が安楽に座った状態を維持することができる位置(図３参照)に移動して、尻が離れて加圧が解除されると、再び初めの位置に移動するように動作することができる。
【００３３】
すなわち、前記座板本体１１０は、使用者の背中による背中支え部２００の動作とは独立的に、尻によって動作することができる。
【００３４】
これをより詳細に説明すると、前記回動リンク部１２０は、前記フレーム４００に回動可能に結合される回動軸１２１、１２２と、一側が前記回動軸１２１、１２２に回動可能に結合されて他側が前記座板本体１１０に回動可能に結合される一対のリンク部材１２４、１２５とでなされることができる。
【００３５】
本実施例で前記回動リンク部１２０は一対で設けられるが、これによって前記回動軸１２１、１２２は２個でなされて、前記回動軸１２１、１２２らにはそれぞれ２個ずつ総４個のリンク部材１２４、１２５が装着される。
【００３６】
前記回動軸１２１、１２２らは、それぞれが水平方向に位置され、前記フレーム４００の前方側と中央領域にそれぞれ配置されるように設置される。前記リンク部材１２４、１２５らは、一側が前記回動軸１２１、１２２の両縁領域に回動可能な構造で装着されながら、図２及び図３に示されたところのように椅子の前方と後方を向けて所定角度で動くことができる。
【００３７】
前記４個のリンク部材１２４、１２５らは、四角形状の座板本体１１０の枠領域を４点支持しながら、使用者の体重を分散して均衡を保って支持するようになる。
【００３８】
そして、前記リンク部材１２４、１２５らの他側は、前記座板本体１１０に回動可能に結合されるので、前記リンク部材１２４、１２５らが所定角度に回動するうちにも座板本体１１０は水平方向に置かれた状態を維持することができるようになる。
【００３９】
すなわち、図２に示された位置の座板本体１１０は、使用者が座りやすいように前方に突出するように位置するが、使用者の座る動作によって図３に矢印で示された方向のように座板本体１１０が後方に押されるようになると、前記リンク部材１２４、１２５らは回動軸１２１、１２２に沿って回動しながら、前記座板本体１１０を垂直に配置されたフレーム４００に接するように移動させるようになる。
【００４０】
ここで前記座板本体１１０は、リンク部材１２４、１２５らの位置変化に従って加圧されると後進しながら下降して、加圧が解除されると前進しながら上昇されるように動作することができる。
【００４１】
このような動作過程において、前記リンク部材１２４、１２５らの他側は前記座板本体１１０に回動可能に結合されているので、前記座板本体１１０は移動中にも水平状態を維持するようになる。
【００４２】
一方、前記座板本体１１０が移動する過程の間に前記回動リンク部１２０は弾性支持部によって弾性支持されるので、弾性支持部の弾性力によって移動動作がやんわりとなされることができる。そして、前記座板本体１１０に加えられた圧力が解除されると、前記弾性支持部は前記座板本体１１０を初めの位置に復帰させる。
【００４３】
前記弾性支持部は詳細に示さなかったが、前記回動軸１２１、１２２と前記リンク部材１２４、１２５に結合されるコイルスプリングを含んでなされることができる。
【００４４】
例えば、弾性係数が高いコイルスプリングの両縁領域をそれぞれ前記回動軸１２１、１２２と前記リンク部材１２４、１２５に連結されるように弾性支持部を構成することで、前述したように前記座板本体１１０の前後進動作を柔らかくしてくれて、復帰動作を可能にすることができる。
【００４５】
勿論、前記弾性支持部は、前記座板本体１１０の前後進動作と復帰動作ができるようにしたら、コイルスプリング以外に公知の他のさまざまな弾性体を使って変形実施が可能である。
【００４６】
一方、前述したところのように、前記回動リンク部１２０によって前後進動作することができる前記座板本体１１０の上部には、座板カバー１３０が結合される。
【００４７】
以下では前記座板カバー１３０が前記座板本体１１０に対して移動する構造に対して説明する。
【００４８】
前記座板カバー１３０は、上部が使用者の尻と接触される部分としてクッション部材などを含むことができるし、下部が前記座板本体１１０にスライディング可能に結合される。
【００４９】
前記座板カバー１３０が前記座板本体１１０を基準に前方と後方にスライディング移動することができるために、使用者の背の高さなどの体形状態や安着位置に合うように前記座板本体１１０に置かれる前記座板カバー１３０の位置を調節することができる。
【００５０】
このために前記座板本体１１０に対して前記座板カバー１３０のスライディング移動を案内するスライディング部１６０が、前記座板本体１１０と前記座板カバー１３０に設けられる。
【００５１】
前記スライディング部１６０は、図５及び図６に示されたところのように前記座板本体１１０に形成された複数の係止突起１６１と、前記複数の係止突起１６１が挿入されて移動するように前記座板カバー１３０に長穴に形成される複数の係止溝１６３と、一端が前記座板本体１１０に結合されて他端が前記座板カバー１３０に結合されるスプリング１６５、１６６とを含んでなされる。
【００５２】
前記係止突起１６１は、図５に示されたところのように本実施例ではきのこ頭形状の頭部と円錐形状の胴体部を有するボルトとして、前記座板本体１１０の上部縁領域に４個がそれぞれ組み立て設置される。
【００５３】
そして、前記係止突起１６１が挿入される係止溝１６３は、図６に示されたところのように前記座板カバー１３０の下部に前記各係止突起１６１の位置に対応されるように一定の長さを有する長穴でなされる。
【００５４】
前記係止溝１６３は、一側領域は前記係止突起１６１のきのこ頭が挿入されることができる大きさを有して、前記係止溝１６３の残り領域は前記係止突起１６１の胴体部が接触されながら通過できるように前記係止突起１６１の頭部が隠されることができるスリット形態でなされる。
【００５５】
したがって、前記座板本体１１０に形成されたそれぞれの係止突起１６１と前記座板カバー１３０のそれぞれの前記係止溝１６３とが相互結合されることによって、前記座板カバー１３０は前記座板本体１１０に沿って、前記係止溝１６１の長穴長さ程度に椅子の前方または後方にスライディング移動することができる。
【００５６】
前記スプリング１６５、１６６は、一端が前記座板本体１１０に結合されて他端が前記座板カバー１３０に結合されながら、前記座板カバー１３０が前記座板本体１１０に対して一方向に弾性支持されるようにする。したがって、前記座板カバー１３０は過度にスライディングしなくなるし、適正な力を加えると位置が移動されることができる。
【００５７】
本実施例では、前記スプリング１６５、１６６は引張スプリングで構成されて、前記座板本体１１０に形成されたスプリング挿入溝１１３、１１４に装着される。ここで、前記スプリング挿入溝１１３、１１４は、前記スプリング１６５、１６６が圧縮された状態では２/３程度の空間が露出された状態であり、右側方向に引っ張られると全体空間を占める。
【００５８】
前記スプリング１６５、１６６は、一端が前記座板本体１１０に固定されるか、または前記スプリング挿入溝１１３、１１４を形成する側面に支持されることができ、他端は前記座板カバー１３０に突出形成された突起(図示せず)と接触される構造を有するようになる。
【００５９】
したがって、前記座板カバー１３０が右側にスライディング移動する場合、前記スプリング１６５、１６６は右側方向に引っ張られることができる。
【００６０】
一方、使用者が前記座板カバー１３０を前記座板カバー１１０に対して前後進させて位置を移動させた後、移動された位置を固定するように前記座板本体１１０と前記座板カバー１３０には前記座板カバー１３０のスライディング位置を固定する位置固定部１５０が設けられる。
【００６１】
前記位置固定部１５０は、取っ手板１５１と、該取っ手板１５１の他側に突設されて前記座板カバー１３０の位置を固定する固定突起１５３と、前記取っ手板１５１の他側下部に設置されるスプリング(図示せず)と、前記座板カバー１３０に穿設されて前記固定突起１５３が選択的に挿入される複数の固定溝１６７とを具備する。ここで、本実施例で固定溝１６７は、複数の固定溝がお互いに重畳されるように長さ方向に長く配置された形態を有する。
【００６２】
前記取っ手板１５１は、所定の長さを有するバー(bar)形態でなされ、一側が使用者の手で操作できるように部分折曲され、前記固定突起１５３が形成された他側が前記座板本体１１０に内蔵された形態で設置される。すなわち、前記取っ手板１５１は、一側が前記座板本体１１０の側面に露出されて、他側が前記座板カバー１３０に向けて垂直移動可能になるように前記座板本体１１０に結合される。
【００６３】
そして、前記取っ手板１５１は中央領域を基準として、てこのように垂直方向に移動することができる。すなわち、前記取っ手板１５１の一側を使用者が手で握って垂直方向に上げるようになると、前記取っ手板１５１の他側下部に設置されるスプリングが圧縮されながら前記固定突起１５３が形成された前記取っ手板１５１の他側は下降して、使用者が手を離せば前記スプリングが弾性復元されながら前記取っ手板１５１の他側は上昇するようになる。
【００６４】
前記座板カバー１３０に穿設された複数の固定溝１６７は、前記固定突起１５３が選択的に挿入されるが、前記座板カバー１３０のスライディング位置によって前記固定突起１５３が挿入される固定溝１６７の位置が変わるようになっている。この時、前記固定突起１５３は、使用者が取っ手板１５１を垂直上方に上げてから下げる動作によって前記固定溝１６７に挿入されるか、または分離される。
【００６５】
普段は前記取っ手板１５１の他側下部に装着されたスプリングによって前記固定突起１５３はいずれか一つの固定溝１６７に挿入された状態を維持する。
【００６６】
したがって、使用者が座板カバー１３０を所望の位置に移動させるためには、一端取っ手板１５１の一側を垂直上方に上げて前記固定突起１５３と固定溝１６７の結合状態を解除しなければならない。そして、所望の位置に前記座板カバー１３０を移動させた後には、取っ手板１５１を下方に下げるか、または手を離すようになると、スプリングの弾性力によって前記固定突起１５３は前記固定溝１６７に挿入されながら前記座板カバー１３０の位置を固定するようになる。
【００６７】
このように前記座板カバー１３０が前記座板本体１１０を基準に前方と後方にスライディング移動しながら、移動された位置を固定することができるために、使用者の背の高さなど体形状態や安着位置に合うように前記座板本体１１０に置かれる前記座板カバー１３０の位置を調節することができる。
【００６８】
以上の説明は、本発明の技術思想を例示的に説明したことに過ぎないものであり、本発明が属する技術分野で通常の知識を持った者なら本発明の本質的な特性から脱しない範囲で多様な修正及び変形が可能であろう。よって、本発明に開示された実施例らは、本発明の技術思想を限定するためではなく説明するためのものであり、このような実施例によって本発明の技術思想の範囲が限定されるものではない。本発明の保護範囲は、特許請求の範囲によって解釈されなければならないし、それと同等な範囲内にあるすべての技術思想は本発明の権利範囲に含まれるものとして解釈されなければならないであろう。
【符号の説明】
【００６９】
１００  座板部
１１０  座板本体
１２０  回動リンク部
１２１、１２２  回動軸
１２４、１２５  リンク部材
１３０  座板カバー
１４０  調節レバー
１５０  位置固定部
１５１  取っ手板
１５３  固定突起
１６０  スライディング部
１６１  係止突起
１６３  係止溝
１６７  固定溝
【図１】
2011229896.tif 000003
【図２】
2011229896.tif 000004
【図３】
2011229896.tif 000005
【図４】
2011229896.tif 000006
【図５】
2011229896.tif 000007
【図６】
2011229896.tif 000008